(57)【要約】【課題】作業者が実行可能な操作を厳密に管理することができる部品実装用装置における操作管理方法および部品実装用装置を提供することを目的とする。【解決手段】実装基板の製造に用いられる部品実装用装置における操作管理方法は、作業者を特定する作業者特定工程（ＳＴ１）と、特定された作業者である特定作業者が作業していることを監視する監視工程（ＳＴ２、ＳＴ７）と、特定作業者に付与されている権限のレベルと、監視工程（ＳＴ２、ＳＴ７）における監視結果に基づいて、部品実装用装置において実行可能な操作を設定する操作設定工程（ＳＴ４、ＳＴ８）と、を含んでいる。そして、監視工程（ＳＴ２、ＳＴ７）において特定作業者が所定の時間作業していないことが検出された場合に（Ｎｏ）、操作設定工程（ＳＴ４、ＳＴ８）において、特定作業者の権限のレベルで実行可能な操作の一部が抑制されるように設定される。【選択図】図９
2019096838.tif 000002
【特許請求の範囲】
【請求項１】
実装基板の製造に用いられる部品実装用装置における操作管理方法であって、
作業者を特定する作業者特定工程と、
前記作業者特定工程において特定された前記作業者である特定作業者が作業していることを監視する監視工程と、
前記特定作業者に付与されている権限のレベルと、前記監視工程における監視結果に基づいて、部品実装用装置において実行可能な操作を設定する操作設定工程と、を含み、
前記監視工程において前記特定作業者が所定の時間作業していないことが検出された場合に、前記操作設定工程において、前記特定作業者の権限のレベルで実行可能な操作の一部が抑制されるように設定される、部品実装用装置における操作管理方法。
【請求項２】
前記作業者特定工程において同じ前記特定作業者が特定されると、前記監視工程において前記特定作業者が継続して作業していると判断される、請求項１に記載の部品実装用装置における操作管理方法。
【請求項３】
前記監視工程において検出された前記特定作業者が作業していない時間の長さに基づいて、前記操作設定工程において設定される実行可能な操作が変更される、請求項１または２に記載の部品実装用装置における操作管理方法。
【請求項４】
前記作業者特定工程において、指紋により作業者が特定される、請求項１から３のいずれかに記載の部品実装用装置における操作管理方法。
【請求項５】
前記監視工程において前記特定作業者の指紋が特定されている間、前記操作設定工程において、部品実装用装置の可動部の動作を伴う操作が許可されるように設定される、請求項４に記載の部品実装用装置における操作管理方法。
【請求項６】
前記操作設定工程において設定された前記抑制された操作が実行されると、警告を報知する報知工程をさらに含む、請求項１から５のいずれかに記載の部品実装用装置における操作管理方法。
【請求項７】
前記部品実装用装置は、基板にはんだを印刷する印刷装置である、請求項１から６のいずれかに記載の部品実装用装置における操作管理方法。
【請求項８】
前記部品実装用装置は、基板に部品を搭載する部品搭載装置である、請求項１から６のいずれかに記載の部品実装用装置における操作管理方法。
【請求項９】
実装基板の製造に用いられる部品実装用装置であって、
作業者を特定する作業者特定手段と、
前記作業者特定手段によって特定された作業者である特定作業者が作業していることを監視する監視手段と、
前記特定作業者に付与されている権限のレベルと、前記監視手段による監視結果に基づいて、部品実装用装置において実行可能な操作を設定する操作設定部と、を備え、
前記操作設定部は、前記監視手段によって前記特定作業者が所定の時間作業していないことが検出された場合、前記特定作業者の権限のレベルで実行可能な操作の一部を抑制するように設定する、部品実装用装置。
【請求項１０】
前記作業者特定手段によって同じ前記特定作業者が特定されると、前記監視手段は前記特定作業者が継続して作業していると判断する、請求項９に記載の部品実装用装置。
【請求項１１】
前記監視手段によって検出された前記特定作業者が作業していない時間の長さに基づいて、前記操作設定部は設定する実行可能な操作を変更する、請求項９または１０に記載の部品実装用装置。
【請求項１２】
前記作業者特定手段は、指紋認証デバイスを備えて構成され、指紋によって作業者を特定する、請求項９から１１のいずれかに記載の部品実装用装置。
【請求項１３】
前記操作設定部は、前記指紋認証デバイスが前記特定作業者の指紋を認証している時に、部品実装用装置の可動部の動作を伴う操作を許可するように設定する、請求項１２に記載の部品実装用装置。
【請求項１４】
所定の操作が実行される入力部をさらに備え、
前記指紋認証デバイスは、作業者が一方の手で前記入力部を操作している時に、他方の手の指紋を認証することができる位置に設置される、請求項１２または１３に記載の部品実装用装置。
【請求項１５】
前記操作設定部によって設定された前記抑制された操作が実行されると、警告を報知する報知部をさらに備える、請求項９から１４のいずれかに記載の部品実装用装置。
【請求項１６】
前記部品実装用装置は、基板にはんだを印刷する印刷装置である、請求項９から１５のいずれかに記載の部品実装用装置。
【請求項１７】
前記部品実装用装置は、基板に部品を搭載する部品搭載装置である、請求項９から１５のいずれかに記載の部品実装用装置。
【発明の詳細な説明】
【技術分野】
【０００１】
本発明は、実装基板の製造に用いられる部品実装用装置において実行可能な操作を管理する部品実装用装置における操作管理方法および部品実装用装置に関する。
【背景技術】
【０００２】
マスクを介して基板にはんだを印刷する印刷装置や、吸着ノズルによって部品を吸着して基板に搭載する部品搭載装置は、実装基板の製造に用いられる部品実装用装置である。部品実装用装置では、作業者に付与されている権限のレベルに応じて、その作業者が実行可能な操作内容が決められている（例えば、特許文献１参照）。特許文献１に記載の部品搭載装置（表面実装機）では、部品搭載装置と作業者が携帯する無線端末が無線で通信することにより、部品搭載装置の近くにいる作業者を自動認識して権限内の作業を行っているかをチェックしている。
【先行技術文献】
【特許文献】
【０００３】
【特許文献１】特開２００８−６０３９１号公報
【発明の概要】
【発明が解決しようとする課題】
【０００４】
しかしながら、特許文献１を含む従来技術では、作業者が認識されて部品実装用装置にその作業者の権限が設定されると、別の作業者でも自分に付与された権限を越えた作業が可能となってしまうという問題点があった。
【０００５】
そこで本発明は、作業者が実行可能な操作を厳密に管理することができる部品実装用装置における操作管理方法および部品実装用装置を提供することを目的とする。
【課題を解決するための手段】
【０００６】
本発明の部品実装用装置における操作管理方法は、実装基板の製造に用いられる部品実装用装置における操作管理方法であって、作業者を特定する作業者特定工程と、前記作業者特定工程において特定された前記作業者である特定作業者が作業していることを監視する監視工程と、前記特定作業者に付与されている権限のレベルと、前記監視工程における監視結果に基づいて、部品実装用装置において実行可能な操作を設定する操作設定工程と、を含み、前記監視工程において前記特定作業者が所定の時間作業していないことが検出された場合に、前記操作設定工程において、前記特定作業者の権限のレベルで実行可能な操作の一部が抑制されるように設定される。
【０００７】
本発明の部品実装用装置は、実装基板の製造に用いられる部品実装用装置であって、作業者を特定する作業者特定手段と、前記作業者特定手段によって特定された作業者である特定作業者が作業していることを監視する監視手段と、前記特定作業者に付与されている権限のレベルと、前記監視手段による監視結果に基づいて、部品実装用装置において実行可能な操作を設定する操作設定部と、を備え、前記操作設定部は、前記監視手段によって前記特定作業者が所定の時間作業していないことが検出された場合、前記特定作業者の権限のレベルで実行可能な操作の一部を抑制するように設定する。
【発明の効果】
【０００８】
本発明によれば、作業者が実行可能な操作を厳密に管理することができる。
【図面の簡単な説明】
【０００９】
【図１】本発明の一実施の形態の部品搭載装置の構成説明図
【図２】本発明の一実施の形態の部品搭載装置の制御系の構成を示すブロック図
【図３】本発明の一実施の形態の部品搭載装置で使用される作業者情報の一例を示す説明図
【図４】本発明の一実施の形態の部品搭載装置で使用される操作権情報の一例を示す説明図
【図５】本発明の一実施の形態の部品搭載装置が備えるタッチパネルに表示された操作画面の一例を示す説明図
【図６】本発明の一実施の形態の部品搭載装置が備えるタッチパネルに表示された操作画面の一例を示す説明図
【図７】本発明の一実施の形態の部品搭載装置が備えるタッチパネルに表示された操作が限定された操作画面の一例を示す説明図
【図８】本発明の一実施の形態の部品搭載装置が備えるタッチパネルに表示された警告が報知された操作画面の一例を示す説明図
【図９】本発明の一実施の形態の操作管理方法のフロー図
【図１０】本発明の一実施の形態の部品搭載装置で使用される操作権情報の他の例を示す説明図
【図１１】本発明の一実施の形態の部品搭載装置が備えるタッチパネルに表示された警告が報知された操作画面の他の例を示す説明図
【発明を実施するための形態】
【００１０】
以下に図面を用いて、本発明の一実施の形態を詳細に説明する。以下で述べる構成、形状等は説明のための例示であって、部品搭載装置の仕様に応じ、適宜変更が可能である。以下では、全ての図面において対応する要素には同一符号を付し、重複する説明を省略する。
【００１１】
まず図１を参照して、部品搭載装置の構成を説明する。部品搭載装置１は、部品搭載作業部によって基板に部品を搭載する部品搭載作業を実行する、実装基板の製造に用いられる部品実装用装置である。部品搭載装置１において作業者が作業を行う前面の右上部には、操作パネルＰが設けられている。操作パネルＰには、タッチパネル２、指紋認証デバイス３、および各種の操作ボタンＢが設置されている。部品搭載装置１の上面には、シグナルタワー４が設置されている。シグナルタワー４は、装置エラーなどをシグナルランプの点灯、消灯、点滅などの視覚表現によって報知する。
【００１２】
タッチパネル２は、液晶パネルなどの表示部９と、表示部９の表面に設置された入力装置であるタッチ入力部１０を備えている（図２参照）。表示部９は、作業パラメータ、オプション情報、報知情報などの各種情報、各種操作画面などを表示する。作業者は、タッチ入力部１０を操作（タッチ）することにより、各種コマンドや各種情報などを入力することができる。
【００１３】
図１において、操作ボタンＢは、開始ボタンＢ１、停止ボタンＢ２、緊急停止ボタンＢ３を含んでいる。開始ボタンＢ１が操作されると、部品搭載装置１は部品搭載作業（運転）を開始する。停止ボタンＢ２が操作されると、部品搭載装置１は部品搭載作業（運転）を停止する。緊急停止ボタンＢ３が操作されると、部品搭載装置１は電源が切断されて緊急停止する。
【００１４】
指紋認証デバイス３は指紋認証センサを備えており、作業者の指紋を読み取って認証する。指紋認証デバイス３は、作業者が一方の手（例えば、右手）でタッチパネル２（タッチ入力部１０）や操作ボタンＢ（入力部）を操作している時に、他方の手（例えば、左手）の指紋を認証することができる位置に設置されている。これによって、作業者は指紋認証デバイス３によって継続して指紋を認証しながら、タッチ入力部１０や操作ボタンＢによって部品搭載装置１を操作することができる。
【００１５】
図１において、部品搭載装置１の前面中央の上方には、部品搭載装置１の運転中に、基板に部品を搭載する実装ヘッド（図示省略）、実装ヘッドを水平移動させるヘッド移動機構（図示省略）などの可動部に作業者が誤って触れないように保護する安全カバー５が設置されている。安全カバー５の近傍には、安全カバー５が開いているか閉まっているかを検出する、マイクロスイッチなどの開閉検出センサＳが設置されている。
【００１６】
部品搭載装置１の前面中央の下方（安全カバー５の下方）には、上部に複数のテープフィーダ６を並列に保持する台車７が装着されている。テープフィーダ６は、部品供給テープに収納される部品を部品搭載装置１に供給する。このように、部品搭載装置１において、実装ヘッド、ヘッド移動機構、テープフィーダ６は、基板に部品を搭載する部品搭載作業を実行する部品搭載作業部８を構成している（図２参照）。
【００１７】
次に図２を参照して、部品搭載装置１の制御系の構成について説明する。部品搭載装置１は、搭載制御部２０、タッチパネル２、指紋認証デバイス３、シグナルタワー４、部品搭載作業部８、開閉検出センサＳを備えている。タッチパネル２は、表示部９とタッチ入力部１０を備えている。なお、表示部９は液晶ディスプレイ、タッチ入力部１０はマウスなど、それぞれが独立した装置でもよい。搭載制御部２０は、搭載動作処理部２１、作業者特定処理部２２、監視処理部２３、操作設定部２４、表示処理部２５、報知処理部２６、搭載記憶部２７を備えている。
【００１８】
搭載記憶部２７は記憶装置であり、搭載データ２８、作業者情報２９、操作権情報３０などを記憶する。搭載データ２８には、基板に搭載される部品の種類と形状（サイズなど）、搭載位置の座標などのデータが含まれており、製造する実装基板の種類ごとに記憶される。搭載動作処理部２１は、部品搭載作業部８を制御して、基板に部品を搭載する搭載動作を実行させる。また、搭載動作処理部２１は、開閉検出センサＳによって安全カバー５が開いていることが検出されると、搭載動作を停止させる。
【００１９】
図２において、作業者情報２９には、部品搭載装置１において作業を実行する作業者を特定する情報、作業者に付与されている権限のレベル、指紋情報などが、各作業者に関連付けて記憶されている。
【００２０】
ここで、図３を参照して、作業者情報２９の一例について説明する。この例の作業者情報２９には、作業者番号４０、権限レベル４１が含まれている。作業者番号４０は、各作業者に割り振られた作業者を特定する情報である。権限レベル４１は、その作業者に付与されている操作の権限のレベルである。この例では、権限レベル４１には「管理者」、「サービスエンジニア」、「オペレータ」の３段階が設定されている。なお、権限レベル４１は３段階に限定されることはなく、任意に設定することができる。
【００２１】
図２において、作業者特定処理部２２は、指紋認証デバイス３が読み取った指紋と作業者情報２９に含まれる指紋情報に基づいて、指紋認証デバイス３が指紋を読み取った作業者を特定する。すなわち、指紋認証デバイス３と作業者特定処理部２２は、作業者を特定する作業者特定手段である。以下、作業者特定手段によって特定された作業者を「特定作業者」と称する。
【００２２】
監視処理部２３は、特定作業者がその部品搭載装置１で作業しているか否かを監視する監視処理を実行する。具体的には、監視処理部２３は、指紋認証デバイス３が読み取った指紋が特定作業者の指紋と一致する場合は、その特定作業者が作業していると判断する。また、監視処理部２３は、特定作業者が指紋認証デバイス３から指を離すことにより継続して作業していないと判断された時からの経過時間（不特定経過時間）を計測し、不特定経過時間に応じて認証レベルを「継続」「限定」「取消」に設定する。
【００２３】
例えば、不特定経過時間が５秒より短い場合、監視処理部２３は認証レベルを「継続」に設定（維持）する。不特定経過時間が５秒以上で３分より短い場合、監視処理部２３は認証レベルを「限定」に設定（変更）する。不特定経過時間が３分以上の場合、監視処理部２３は認証レベルを「取消」に設定（変更）する。特定作業者が認証されている一方の手の指を指紋認証デバイス３から離さずに他方の手でタッチパネル２を操作する場合などは、認証レベルが「継続」に維持されて特定作業者が継続して作業していると判断される。
【００２４】
このように、監視処理部２３と作業者特定手段（指紋認証デバイス３、作業者特定処理部２２）は、特定作業者が作業していることを監視する監視手段である。監視手段は、所定の時間内に作業者特定手段によって同じ特定作業者が特定されると、特定作業者が継続して作業していると判断する。なお、作業者特定手段は、指紋認証デバイス３を備えて構成されて指紋によって作業者を特定するものに限定されることはない。例えば、カメラ（作業者特定手段）による顔認証や虹彩認証等の生体認証の他、作業者が携帯する非接触ＩＣカード（社員証など）をＲＦリーダ（作業者特定手段）で読み取る特定方法でもあってもよい。
【００２５】
顔認証や虹彩認証の場合、特定作業者をカメラ（監視手段）で追跡して、特定作業者が部品搭載装置１の操作パネルＰから所定の距離内にいる間は、特定作業者が継続して作業していると判断される。非接触ＩＣカードの場合、ＲＦリーダ（監視手段）が特定作業者が携帯する非接触ＩＣカードと通信できている間は、特定作業者が継続して作業していると判断される。
【００２６】
図２において、操作設定部２４は、特定作業者に付与されている権限のレベル（権限レベル４１）と、監視手段（指紋認証デバイス３、作業者特定処理部２２、監視処理部２３）による監視結果に基づいて、部品搭載装置１（部品実装用装置）において実行可能な操作を設定する。具体的には、操作設定部２４は、監視手段によって検出された特定作業者が作業していない時間（不特定経過時間）の長さと後述する操作権情報３０に基づいて、部品搭載装置１において実行可能な操作を変更する。
【００２７】
ここで、図４を参照して、操作権情報３０の一例について説明する。操作権情報３０には、部品搭載装置１において実行される操作内容５１と、操作内容５１に対して設定された操作可否情報５２が含まれている。操作可否情報５２は、特定作業者の権限レベル４１と不特定経過時間に対応して設定される認証レベルに応じて設定されている。操作可否情報５２において、「○」は操作可能であることを、「△」は仕掛かり中の操作画面は継続して表示可能だが操作は不可であることを、「×」は操作不可であることを示している。
【００２８】
操作内容５１には、「管理情報修正」「オプション設定」「パラメータ修正」「生産作業」「緊急停止」が含まれている。「管理情報修正」は、部品搭載装置１において作業する作業者の情報の追加、削除などの情報の修正操作である。「オプション設定」は、部品搭載装置１に装備されるオプションに関する情報の設定操作である。「パラメータ修正」は、部品搭載装置１の調整パラメータのティーチング、装置パラメータの修正操作などである。「生産作業」は、部品搭載装置１における部品補給、エラー回復操作などの生産作業の操作である。「緊急停止」は、部品搭載装置１の緊急停止操作である。
【００２９】
図４において、例えば、権限レベル４１が「管理者」の場合、認証レベルが「継続」だと全ての操作内容５１が許可される。認証レベルが「限定」の場合、一部の操作内容５１（ここでは「管理情報修正」「オプション設定」「パラメータ修正」）が表示可能だが操作は不可である（抑制される）。認証レベルが「取消」の場合、「緊急停止」以外の操作が不可である。権限レベル４１が「サービスエンジニア」の場合、認証レベルが「継続」であっても一部の操作内容５１（ここでは「管理情報修正」）が操作不可である。権限レベル４１が「オペレータ」の場合、認証レベルが「継続」であっても「生産作業」と「緊急停止」以外の操作内容５１が操作不可である。
【００３０】
このように、操作設定部２４は、監視手段によって特定作業者が所定の時間（不特定経過時間）作業していないことが検出された場合（認証レベルが「限定」または「取消」に設定された場合）、特定作業者の権限のレベル（権限レベル４１）で実行可能な操作（操作内容５１）の一部を抑制するように設定する。
【００３１】
図２において、表示処理部２５は、操作設定部２４によって設定された実行可能な操作の情報（操作可否情報５２の許可、不許可など）に基づいて、操作画面を表示部９に表示させる。報知処理部２６は、表示部９に表示された操作画面において実行不可能な操作が実行されると、所定の警告を表示部９に報知させる。すなわち、タッチパネル２（表示部９）は、操作設定部２４によって設定された抑制された操作が実行されると、警告を報知する報知部である。なお、報知処理部２６は、シグナルタワー４のシグナルランプを点灯させて、警告を報知するようにしてもよい。
【００３２】
次に、図５〜７を参照して、表示処理部２５によってタッチパネル２（表示部９）に表示された操作画面の例について説明する。図５は、作業者番号が「００２２」で権限レベル４１が「サービスエンジニア」である作業者が指紋認証デバイス３で指紋認証しながら作業をして、認証レベルが「継続」である場合に、タッチパネル２（表示部９）に表示された操作画面６０ａを示している。操作画面６０ａの左端には、機能選択領域６１が設定されている。機能選択領域６１には、権限レベル４１が「管理者」、「サービスエンジニア」、「オペレータ」の作業者に許可される複数の共通選択ボタン６２と、権限レベル４１が「管理者」、「サービスエンジニア」の作業者に許可される複数のサービスエンジニア選択ボタン６３が設定されている。
【００３３】
図５では、サービスエンジニア選択ボタン６３のうち斜線でハッチングされている１つが選択され、操作画面６０ａの右側に選択されたサービスエンジニア選択ボタン６３に対応するサブ操作画面が表示されている。ここでは、操作内容５１が「パラメータ修正」の作業のうち、「マージン調整」が選択されている。サブ操作画面には、タイトル欄６４、中項目選択領域６５、詳細操作領域６７が設定されている。タイトル欄６４には、認証されている特定作業者の作業者番号４０と選択されている作業内容が表示されている。
【００３４】
中項目選択領域６５には、さらに操作内容を絞り込む複数の中項目選択ボタン６６が設定されている。詳細操作領域６７には、斜線でハッチングしている選択された中項目選択ボタン６６に対応する作業画面が表示される。ここでは、詳細操作領域６７に「開始」ボタン６８が設定されている。特定作業者が「開始」ボタン６８を操作すると、マージン調整が開始される。
【００３５】
図６は、作業者番号が「００４２」で権限レベル４１が「オペレータ」である作業者が指紋認証デバイス３で指紋認証しながら作業をして、認証レベルが「継続」である場合に、タッチパネル２（表示部９）に表示された操作画面６０ｂを示している。図５に示す権限レベル４１が「サービスエンジニア」の操作画面６０ａと異なり、機能選択領域６１には、共通選択ボタン６２のみが設定され、操作の権限が付与されていないサービスエンジニア選択ボタン６３は設定されていない。操作画面６０ｂの右側のサブ操作画面には、タイトル欄７０、中項目選択領域７１、詳細操作領域７３が設定されている。中項目選択領域７１には、中項目選択ボタン７２が設定されている。
【００３６】
図７は、図５に示す操作画面６０ａにおいて、特定作業者（作業者番号が「００２２」の作業者）が指紋認証デバイス３から指を離して不特定経過時間が所定の時間を超過し、認証レベルが「限定」に移行した操作画面６０ｃを示している。タイトル欄６４ａには、「操作限定中」の表示が追加されている。サービスエンジニア選択ボタン６３ａ、中項目選択ボタン６６ａ、「開始」ボタン６８ａは表示されているが、操作ができない状態になっている（図中では、破線で表示）。
【００３７】
このように、特定作業者が継続して作業していない場合（不特定経過時間が所定の時間を超過した場合）、他の作業者が権限を越えた操作ができないように一部の操作が抑制される。この状態で、特定作業者が指紋認証デバイス３で指紋を認証すると、図５の操作画面６０ａに遷移して作業の続きが可能となる。
【００３８】
次に、図８を参照して、報知処理部２６によってタッチパネル２（表示部９）に表示された警告の例について説明する。図７に示す一部の操作が抑制された操作画面６０ｃにおいて、抑制された操作が実行されると、報知処理部２６によって操作画面６０ｄに重ねて警告欄７４が表示される。この例では、警告欄７４に「作業者が特定できません。指紋認証してください。」と記載されている。これによって、特定作業者は、意図せずに認証レベルが「限定」になったことを知ることができる。特定作業者は、指紋認証デバイス３で指紋認証して認証レベルを「継続」に変更して操作を継続することができる。
【００３９】
次に、図９のフローに沿って、図５〜８を参照しながら、部品搭載装置１（部品実装用装置）における操作管理方法について説明する。まず、指紋認証デバイス３によって作業者の指紋が認証されると、作業者特定処理部２２は、作業者情報２９に基づいて、その作業者を特定作業者と特定する（ＳＴ１：作業者特定工程）。すなわち、指紋により作業者が特定される。
【００４０】
特定作業者が特定されると、監視処理部２３は、認証レベルを「継続」に設定する。次いで操作設定部２４は、操作権情報３０に基づいて、特定作業者に付与されている権限レベル４１（権限のレベル）で認証レベルが「継続」に対応する部品搭載装置１において実行可能な操作を設定する（ＳＴ２：第１の操作設定工程）。表示処理部２５は、設定された実行可能な操作に対応する操作画面をタッチパネル２（表示部９）に表示させる（図５、図６参照）。
【００４１】
図９において、次いで監視処理部２３は、特定作業者が作業していることを監視する（ＳＴ３：第１の監視工程）。具体的には、作業者特定工程（ＳＴ１）は継続して繰り返し実行されており、作業者特定工程（ＳＴ１）において同じ特定作業者が特定されると、第１の監視工程（ＳＴ３）において特定作業者が継続して作業している（Ｙｅｓ）と判断される。
【００４２】
第１の監視工程（ＳＴ３）において特定作業者が所定の時間（例えば、５秒以上）作業していないことが検出された場合（Ｎｏ）、監視処理部２３は認証レベルを「限定」に変更し、操作設定部２４は、特定作業者の権限レベル４１（権限のレベル）で実行可能な操作の一部が抑制されるように設定（変更）する（ＳＴ４：第２の操作設定工程）。表示処理部２５は、設定された実行可能な操作に対応するように、タッチパネル２に表示されている操作画面の一部のボタンの操作を抑制する（図７参照）。
【００４３】
図９において、次いで報知処理部２６は、第２の操作設定工程（ＳＴ４）において設定された抑制された操作が実行されたか否かを監視する（ＳＴ５）。抑制された操作が実行されると（ＳＴ５においてＹｅｓ）、報知処理部２６は、タッチパネル２に警告を報知させる（ＳＴ６：報知工程）（図８参照）。抑制された操作が実行されない場合（ＳＴ５においてＮｏ）、報知工程（ＳＴ６）はスキップされる。
【００４４】
次いで監視処理部２３は、特定作業者が所定の時間内（例えば、３分以内）に作業を再開するか否かを監視する（ＳＴ７：第２の監視工程）。具体的には、作業者特定工程（ＳＴ１）において所定の時間内に同じ特定作業者が特定されると、第２の監視工程（ＳＴ７）において特定作業者が作業を再開した（Ｙｅｓ）と判断される。所定の時間内に特定作業者による作業が再開されると（ＳＴ７においてＹｅｓ）、第１の操作設定工程（ＳＴ２）に戻って抑制されていた操作が再び実行可能となる（図５参照）。
【００４５】
図９において、所定の時間内に特定作業者による作業が再開されない場合（ＳＴ７においてＮｏ）、監視処理部２３は認証レベルを「取消」に変更し、操作設定部２４は、特定作業者の権限レベル４１（権限のレベル）で実行可能な操作の一部が抑制されるように設定（変更）する（ＳＴ８：第３の操作設定工程）。表示処理部２５は、設定された実行可能な操作に対応するように、タッチパネル２に表示する操作画面を変更する。次いで作業者特定工程（ＳＴ１）に戻って、作業者の特定が実行される。すなわち、所定の時間内に認証されないと特定作業者によって実行されていた操作はキャンセルされ、作業者の認証を待機する状態に戻る。
【００４６】
このように、第１の監視工程（ＳＴ３）および第２の監視工程（ＳＴ７）は、作業者特定工程（ＳＴ１）において特定された作業者である特定作業者が作業していることを監視する監視工程である。また、第１の操作設定工程（ＳＴ２）、第２の操作設定工程（ＳＴ４）、および第３の操作設定工程（ＳＴ８）は、特定作業者に付与されている権限レベル４１（権限のレベル）と、監視工程における監視結果に基づいて、部品搭載装置１（部品実装用装置）において実行可能な操作を設定する操作設定工程である。
【００４７】
そして、監視工程において検出された特定作業者が作業していない時間の長さ（不特定経過時間）に基づいて、操作設定工程において設定される実行可能な操作が変更される。これによって、作業者（特定作業者）が実行可能な操作を厳密に管理することができる。
【００４８】
なお、上記では、実行可能な操作の変更を認証レベルが「限定」と「取消」の２段階の例で説明したが、実行可能な操作の変更は２段階に限定されることなく、１段階でも３段階以上であってもよい。また、部品実装用装置は部品搭載装置１に限定されることはなく、基板にはんだを印刷する印刷装置にも本実施の形態の操作管理方法は適用することができる。
【００４９】
上記説明したように、本実施の形態の部品実装用装置（部品搭載装置１、印刷装置）は、作業者を特定する作業者特定手段（指紋認証デバイス３、作業者特定処理部２２）と、作業者特定手段によって特定された作業者である特定作業者が作業していることを監視する監視手段（作業者特定手段、監視処理部２３）と、特定作業者に付与されている権限のレベル（権限レベル４１）と、監視手段による監視結果に基づいて、部品実装用装置において実行可能な操作を設定する操作設定部２４と、を備えている。
【００５０】
そして、操作設定部２４は、監視手段によって特定作業者が所定の時間作業していないことが検出された場合、特定作業者の権限のレベルで実行可能な操作の一部を抑制するように設定している。これによって、作業者（特定作業者）が実行可能な操作を厳密に管理することができる。
【００５１】
次に図１０、図１１を参照して、部品実装用装置の他の実施例について部品搭載装置１を用いて説明する。他の実施例では、作業者特定手段として指紋認証デバイス３が使用される。そして、安全カバー５を開けて部品搭載作業部８の可動部の動作を確認しながら実行するオプション設定やパラメータ修正などの操作を、作業者が安全に実行できるように操作管理が行われる。
【００５２】
図１０は、搭載記憶部２７に記憶された他の操作権情報１００の一例を示している。操作内容１０１には、部品搭載作業部８の動作を伴わない「オプション設定（作業部：非動作）」と「パラメータ修正（作業部：非動作）」の他、部品搭載作業部８の動作を伴う「オプション設定（作業部：動作）」と「パラメータ修正（作業部：動作）」が含まれている。
【００５３】
操作可否情報１０２において、部品搭載作業部８の動作を伴う「オプション設定（作業部：動作）」と「パラメータ修正（作業部：動作）」は、認証レベルが「継続」の場合にのみ許可されるように設定されている。これにより、操作設定部２４によって、指紋認証デバイス３が特定作業者の指紋を認証している時に（認証レベルが「継続」の時に）、部品搭載装置１（部品実装用装置）の可動部の動作を伴う操作が許可されるように設定される。また、図９に示す操作管理方法では、第１の監視工程（ＳＴ３）工程において特定作業者の指紋が特定されている間、第１の操作設定工程（ＳＴ２）において、部品実装用装置の可動部の動作を伴う操作が許可されるように設定される。
【００５４】
通常、安全カバー５が開いている状態（開閉検出センサＳが開を検出している状態）では、作業者の安全のために部品搭載作業部８の動作は停止される。しかし他の実施例では、特定作業者が一方の手でタッチパネル２を操作している間に、他方の手は指紋認証デバイス３で指紋認証していることを確認することができる。そこで、認証レベルが「継続」である間は、安全カバー５が開いていても特定作業者が動作中の部品搭載作業部８に手を入れる危険がないため、部品搭載装置１の可動部の動作を伴う操作が許可される。
【００５５】
なお、監視処理部２３が認証レベルを「継続」に設定（維持）する不定経過時間は、指紋認証デバイス３が安定して指紋認証でき、かつ、作業者の安全確保のためできるため短い時間（例えば、１秒）に設定することが望ましい。
【００５６】
図１１は、部品搭載作業部８の可動部の動作を伴う操作を行っている特定作業者が指紋認証デバイス３から指を外した場合に、報知処理部２６によってタッチパネル２（表示部９）に表示される警告の例について説明する。特定作業者が指紋認証デバイス３から指を外すと、報知処理部２６によって操作画面６０ｅに重ねて警告欄１０３が表示され、搭載動作処理部２１は部品搭載作業部８の動作を停止させる。この例では、警告欄１０３に「安全確認のため、指紋認証しながら操作してください。」と記載されている。これによって、特定作業者は、指紋認証しながら操作をする必要があることを知ることができる。
【００５７】
このように、他の実施例の操作設定部２４は、指紋認証デバイス３が特定作業者の指紋を認証している時に、部品実装用装置（部品搭載装置１）の可動部の動作を伴う操作を許可するように設定している。これによって、作業者（特定作業者）が安全に実行可能な操作を厳密に管理することができる。なお、他の実施例の作業者特定手段は指紋認証デバイス３に限定されることはなく、特定作業者が一方の手でタッチパネル２を操作している間に、他方の手が可動部に触れることができない位置にあることを確認することができるものであればよい。
【産業上の利用可能性】
【００５８】
本発明の部品実装用装置における操作管理方法および部品実装用装置は、作業者が実行可能な操作を厳密に管理することができるという効果を有し、部品を基板に実装する分野において有用である。
【符号の説明】
【００５９】
１  部品搭載装置（部品実装用装置）
２  タッチパネル（入力部、報知部）
３  指紋認証デバイス（作業者特定手段、監視手段）
Ｂ  操作ボタン（入力部）
【図１】
2019096838.tif 000003
【図２】
2019096838.tif 000004
【図３】
2019096838.tif 000005
【図４】
2019096838.tif 000006
【図５】
2019096838.tif 000007
【図６】
2019096838.tif 000008
【図７】
2019096838.tif 000009
【図８】
2019096838.tif 000010
【図９】
2019096838.tif 000011
【図１０】
2019096838.tif 000012
【図１１】
2019096838.tif 000013